(57)【特許請求の範囲】
【請求項１】
位置座標を示すコード化パターンが升目とともに印刷された用紙に対して電子ペンで記入することで電子ペンにより生成された記入情報を受信し処理する端末装置であって、
表示手段の表示画面において、記入内容を表示する領域を指定する領域指定手段と、
前記表示手段の表示画面に、解答が記入された解答用紙のイメージデータを表示させた状態で、前記領域指定手段による記入内容の表示領域の指定を可能とし、前記領域指定手段により指定された表示手段の領域に入力可能な縦横の文字数または総文字数を升目のサイズに基づき算出して報知し、前記電子ペンの記入情報に基づく記入内容を表示させる処理手段と
を備えることを特徴とする端末装置。
【請求項２】
前記処理手段は、前記領域指定手段によって指定された領域に合う文字数を、前記記入情報に基づく記入内容の文字数が超えたことを報知することを特徴とする請求項１に記載の端末装置。
【請求項３】
前記処理手段は、前記電子ペンによるひとまとまりの手書き文字全体を、前記領域指定手段によって指定された領域に収まるよう縮小又は拡大させて前記領域に表示させることを特徴とする請求項１又は２に記載の端末装置。
【請求項４】
前記処理手段は、前記電子ペンによるひとまとまりの手書き文字のストローク全体を包含する外接枠を求め、前記領域指定手段によって指定された領域に収まるよう前記外接枠を縮小又は拡大させて、前記領域に前記ストローク全体を表示させることを特徴とする請求項１又は２に記載の端末装置。
【請求項５】
前記処理手段は、前記領域に前記ストローク全体を縮小させる縮小率が、所定値を超えた場合、記入分量が過多であることを報知することを特徴とする請求項４に記載の端末装置。
【請求項６】
位置座標を示すコード化パターンが升目とともに印刷された用紙に対して電子ペンで記入することで電子ペンにより生成された記入情報を受信し処理する端末装置により実行されるプログラムであって、
表示手段の表示画面において、記入内容を表示する領域を指定する領域指定手段、
前記表示手段の表示画面に、解答が記入された解答用紙のイメージデータを表示させた状態で、前記領域指定手段による記入内容の表示領域の指定を可能とし、前記領域指定手段により指定された表示手段の領域に入力可能な縦横の文字数または総文字数を升目のサイズに基づき算出して報知し、前記電子ペンの記入情報に基づく記入内容を表示させる処理手段
として端末装置を機能させることを特徴とするプログラム。
【請求項７】
前記処理手段は、前記領域指定手段によって指定された領域に合う文字数を、前記記入情報に基づく記入内容の文字数が超えたことを報知することを特徴とする請求項６に記載のプログラム。
【請求項８】
前記処理手段は、前記電子ペンによるひとまとまりの手書き文字全体を、前記領域指定手段によって指定された領域に収まるよう縮小又は拡大させて前記領域に表示させることを特徴とする請求項６又は７に記載のプログラム。
【請求項９】
前記処理手段は、前記電子ペンによるひとまとまりの手書き文字のストローク全体を包含する外接枠を求め、前記領域指定手段によって指定された領域に収まるよう前記外接枠を縮小又は拡大させて、前記領域に前記ストローク全体を表示させることを特徴とする請求項６又は７に記載のプログラム。
【請求項１０】
前記処理手段は、前記領域に前記ストローク全体を縮小させる縮小率が、所定値を超えた場合、記入分量が過多であることを報知することを特徴とする請求項９に記載のプログラム。
【請求項１１】
位置座標を示すコード化パターンが升目とともに印刷された用紙と、
解答用紙に書き込まれた解答の添削内容を前記用紙に記入するために用いられ、前記コード化パターンを読取り、位置座標を演算して記入情報を生成する電子ペンと、
前記電子ペンにより生成された記入情報を受信し処理する添削者用端末装置と、
解答が書き込まれた解答用紙をイメージデータとして読み取るスキャナと、
前記スキャナにより読み取られたイメージデータを前記添削者用端末装置へ送信する中央処理装置とを備える添削支援システムであって、
前記添削者用端末装置は、
表示手段の表示画面において、受信した前記イメージデータを表示させた状態で、記入内容を表示する領域を指定する領域指定手段と、
前記領域指定手段により指定された表示手段の領域に入力可能な縦横の文字数または総文字数を升目のサイズに基づき算出して報知し、前記電子ペンの記入情報に基づく記入内容を表示させる処理手段と
を備えることを特徴とする添削支援システム。
【請求項１２】
前記用紙は、解答用紙と同様の内容が印刷されていることを特徴とする請求項１１に記載の添削支援システム。
【請求項１３】
前記処理手段は、前記領域指定手段によって指定された領域に合う文字数を、前記記入情報に基づく記入内容の文字数が超えたことを報知することを特徴とする請求項１１又は１２に記載の添削支援システム。
【請求項１４】
前記処理手段は、前記電子ペンによるひとまとまりの手書き文字全体を、前記領域指定手段によって指定された領域に収まるよう縮小又は拡大させて前記領域に表示させることを特徴とする請求項１１〜１３のうちいずれか一項に記載の添削支援システム。
【請求項１５】
前記処理手段は、前記電子ペンによるひとまとまりの手書き文字のストローク全体を包含する外接枠を求め、前記領域指定手段によって指定された領域に収まるよう前記外接枠を縮小又は拡大させて、前記領域に前記ストローク全体を表示させることを特徴とする請求項１１〜１３のうちいずれか一項に記載の添削支援システム。
【請求項１６】
前記処理手段は、前記領域に前記ストローク全体を縮小させる縮小率が、所定値を超えた場合、記入分量が過多であることを報知することを特徴とする請求項１５に記載の添削支援システム。
【請求項１７】
前記処理手段は、前記イメージデータ上の指定領域に表示された記入内容を前記イメージデータとともに、前記中央処理装置へ送信することを特徴とする請求項１１〜１６のうちいずれか一項に記載の添削支援システム。
【発明の詳細な説明】
【技術分野】
【０００１】
本発明は、電子ペンを用いて、例えば解答内容の添削などで、特定の領域に文字を記入するための端末装置、そのプログラム、及び添削支援システムに関する。
【背景技術】
【０００２】
一般に提供されている通信添削サービスは、通信添削業者が、受講者に問題が印刷された解答用紙を郵送し、受講者が解答を解答用紙に記入して、通信添削業者に返送する。そして、通信添削業者は、いくつかの解答用紙をまとめて添削者に郵送すると、添削者は、その解答用紙に添削コメントを直接記入し、通信添削業者へ返送する。通信添削業者は、受け取った添削コメント付きの解答用紙を受講者に返送するというものである。そのため、受講者、通信添削業者、添削者の間で、解答用紙を何度も往復させなければならないため、受講者が解答用紙を通信添削業者へ返信して、添削コメント付きの解答用紙を受け取るまでに、数週間以上もかかっているという問題があった。
【０００３】
一方、手書きで記入した情報を電子ペンにより電子データ化するシステムが種々実現されている。例えば、紙に書くのと同じ要領で使える電子ペンとしては、スウェーデンのアノト（Ａｎｏｔｏ）社が開発したアノトペン（Ａｎｏｔｏ  ｐｅｎ）がよく知られている。アノトペンは、所定のドットパターンが印刷された専用紙とともに使用される。
【０００４】
アノトペンのペン先部には、インクカートリッジと超小型カメラがある。ペン内部には、プロセッサとデータ通信ユニットなどを搭載している。利用者が専用紙上にアノトペンで文字等を書くことができる。その際、ペンの移動に伴って、専用紙に印刷されたドットパターンを、超小型カメラで撮影する。撮影したドットパターンに基づいて、専用紙における位置座標を取得する。こうして、アノトペンは、ペン先の超小型カメラで専用紙に書かれた情報をデジタル情報としてペン内に取り込み、取得した位置座標等をデータ通信ユニットで近くのパーソナルコンピュータや携帯電話などの端末装置に送信する。利用者が書き込んだ文字や画像などの記入情報は、連続する位置座標に基づいて端末装置で認識される（特許文献１）。
【０００５】
このようなアノトの電子ペンを用いたシステムにより、テストの採点を行うものとして、下記特許文献２が公開されている。特許文献２に記載のシステムによれば、ドットパターンが印刷された解答用紙に解答が記載され、その解答内容を採点する際、正解であれば「○」、部分点を与えられる半正解であれば「△」とその部分点の数字、不正解であれば「×」を電子ペンでその解答用紙に記入していき、その採点内容を端末装置に認識させる。
【０００６】
また、下記特許文献３には、ユニークなドットパターンを読み取ることができる電子ペンを用いたオンライン試験システムが提案されている。このオンライン試験システムでは、試験を受験するもの者と解答内容を採点する者との双方に、端末装置、プリンター及び電子ペンを用意しておく。そして、受験者側において、パターンデータを有する解答用紙をプリンターにより印刷して、電子ペンを用いて解答を記入する。電子ペンで生成された記入情報は、端末装置（携帯電話）を介し、無線通信網及びインターネットを通じて採点者側の端末装置へ送信される。採点者側では、端末装置の指示により、プリンターが、パターンデータと解答内容を含む解答用紙を印刷し、採点者は、電子ペンを用いて採点内容をその解答用紙に書き込む。電子ペンで生成された記入情報は、採点者側の端末装置を介して、インターネット及び無線通信網を通じて、受験者側の端末装置へ送信される。そして、受験者側では、端末装置の指示により、プリンターは、採点内容が表示された解答用紙を印刷する。これにより、受験者は、採点された解答用紙を取得することができる。
【０００７】
別の原理の電子ペンによって添削を行うことができる通信教育システムも提案されている。下記特許文献４に記載された通信教育システムにおいては、超音波発信器が取り付けられたペンで紙に解答を記入すると、受信ユニットがペン先の位置を検出して手書き入力された筆跡を認識し、その手書きデータが、インターネットを通じて添削者の端末へ送信される。添削者の端末においても、同様に、超音波発信器が取り付けられたペンで紙に添削内容を記入すると受信ユニットがペン先の位置を検出して手書き入力された筆跡を認識して手書きデータを生成する。この手書き入力デバイスは、液晶ディスプレイ上で入力可能なタブレット等であってもよいとされている。
【０００８】
特許文献５に記載の添削管理システムでは、解答が記入された答案用紙をスキャナで読み取って画像データを生成し、ネットワークを介して添削端末に送られる。そして、添削者は、添削端末に画像データをタッチパネル等の液晶ディスプレイに表示させた状態で、ペンにより液晶ディスプレイへ直接、添削内容を記入することが記載されている。
【０００９】
【特許文献１】特表２００３−５１１７６１号公報
【特許文献２】特再表２００５−１０４０６０号公報
【特許文献３】特許第３７３６７５３号公報
【特許文献４】特許第３８１０７４７号公報
【特許文献５】特開２００８−４６３９８号公報
【発明の開示】
【発明が解決しようとする課題】
【００１０】
上記特許文献２によるシステムにおいては、解答内容の採点は、正解、半正解、不正解に応じて、「○」「△」「×」などの記号や部分点を電子ペンで解答用紙に記入する程度であって、採点に大きなスペースを要しない。一方、解答内容を添削する場合には、正解であるか、半正解であるか、不正解であるかの他、受験者の学習効率を上げるため、問題に対する考え方や学習上の重要なポイントなどのコメントを記載する。このような場合、添削コメントを記入するには、ある程度の大きさの余白が解答用紙に必要であり、しかも、見易さのために受験者の解答領域と重ならないように添削コメントを記入する必要がある。
【００１１】
また、上記特許文献３によるオンライン試験システムのように、受験者側と採点者側の双方に、端末装置、プリンター及び電子ペンを給付するには、多数の受験者に添削サービスを提供している通信添削業者にとっては、多大な初期費用がかかり現実的ではない。
【００１２】
上記特許文献４の添削管理システムにおいても、受験者側と採点者側の双方に、超音波式ペンや受信ユニット等を給付する必要があり、多数の受験者に添削サービスを提供している通信添削業者にとっては、多大な費用がかかり現実的ではない。勿論、別の原理として提案されているタブレット等であっても同様である。また、特許文献５や特許文献４に提案されている液晶ディスプレイ・タブレットでは、ペン先の位置を認識する解像度が低く、添削内容として記入する文字を小さく書いてしまうと文字がつぶれてしまい、添削文字を認識することができなくなってしまうおそれもある。
【００１３】
そこで、本発明は、表示画面において、予め、添削コメントなどの記入内容を表示したい領域を指定したうえで、電子ペンで記入した記入内容をその指定領域に当てはめて表示させることができる端末装置、そのプログラム、添削支援システムを提供することを目的とする。
【課題を解決するための手段】
【００１４】
本発明に係る端末装置は、位置座標を示すコード化パターンが升目とともに印刷された用紙に対して電子ペンで記入することで電子ペンにより生成された記入情報を受信し処理する端末装置であって、表示手段の表示画面において、記入内容を表示する領域を指定する領域指定手段と、前記表示手段の表示画面に、解答が記入された解答用紙のイメージデータを表示させた状態で、前記領域指定手段による記入内容の表示領域の指定を可能とし、前記領域指定手段により指定された表示手段の領域に入力可能な縦横の文字数または総文字数を升目のサイズに基づき算出して報知し、前記電子ペンの記入情報に基づく記入内容を表示させる処理手段とを備えることを特徴とする。
【００１５】
本端末装置によれば、用紙に電子ペンで記入することで、電子ペンにおいて、用紙に印刷されたコード化パターンが読み取られて位置座標に関する情報を含む記入情報が生成され、その記入情報が端末装置へ送信されるが、端末装置は、その記入情報を受信して処理する。ここで、領域指定手段により、表示手段の表示画面において、記入内容を表示する領域を指定すると、処理手段は、その指定された領域に、電子ペンの記入情報に基づく記入内容を挿入して表示させる。したがって、領域指定手段によって、表示画面の任意の位置に領域を指定して、電子ペンによる記入内容を表示させることができる。このとき、利用者は、解答用紙のイメージデータを表示させた状態で、問題文や解答が表示された領域と重ならないように領域指定手段によって領域を指定することができる。その結果、処理手段は、問題文や解答が表示された領域と重ならない指定領域に電子ペンで記入した記入内容を表示する。また、利用者は、用紙の升目のサイズに基づき算出され報知される文字数の範囲内で、用紙に文字を記入することにより、電子ペンによって記入された文字が部分的に隠れることもなく、処理手段によって、指定領域に表示することができる。
【００１７】
また、上記端末装置において、前記処理手段は、前記領域指定手段によって指定された領域に合う文字数を、前記記入情報に基づく記入内容の文字数が超えたことを報知するよう構成するとよい。この構成により、処理手段は、電子ペンによって記入された文字すべてを表示しきれないことを報知するため、利用者は、領域指定手段による指定領域の適正化や文字数の適正化を図ることができる。
【００１８】
また、上記端末装置において、前記処理手段は、前記電子ペンによるひとまとまりの手書き文字全体を、前記領域指定手段によって指定された領域に当てはまるよう縮小又は拡大させて前記領域に表示させるよう構成するとよい。この構成により、利用者が電子ペンで書く文字が大きすぎたり小さい場合であっても、その文字を縮小又は拡大することによって、指定された領域に収まるよう表示させることができる。
【００１９】
また、上記端末装置において、前記処理手段は、前記電子ペンによるひとまとまりの手書き文字のストローク全体を包含する外接枠を求め、前記領域指定手段によって指定された領域に収まるよう前記外接枠を縮小又は拡大させて、前記領域に前記ストローク全体を表示させるよう構成するとよい。この構成により、外接枠内に包含されている手書き文字のストローク全体が、領域指定手段によって指定された領域に収まって表示手段に表示されるため、表示手段の確認により、ストロークを手書き文字の趣をそのままに全体的に確認することができる。
【００２０】
また、上記端末装置において、前記処理手段は、前記領域に前記ストローク全体を縮小させる縮小率が、所定値を超えた場合、記入分量が過多であることを報知するよう構成するとよい。この構成により、ストローク全体を所定値を超えて縮小しすぎることを回避し、指定領域の適正化や添削コメントの分量、記入範囲の適正化を図ることができる。
【００２２】
また、本発明に係るプログラムは、位置座標を示すコード化パターンが升目とともに印刷された用紙に対して電子ペンで記入することで電子ペンにより生成された記入情報を受信し処理する端末装置により実行されるプログラムであって、表示手段の表示画面において、記入内容を表示する領域を指定する領域指定手段、前記表示手段の表示画面に、解答が記入された解答用紙のイメージデータを表示させた状態で、前記領域指定手段による記入内容の表示領域の指定を可能とし、前記領域指定手段により指定された表示手段の領域に入力可能な縦横の文字数または総文字数を升目のサイズに基づき算出して報知し、前記電子ペンの記入情報に基づく記入内容を表示させる処理手段として端末装置を機能させることを特徴とする。
【００２４】
上記プログラムにおいて、前記処理手段は、前記領域指定手段によって指定された領域に合う文字数を、前記記入情報に基づく記入内容の文字数が超えたことを報知するよう構成するとよい。
【００２５】
また、上記プログラムにおいて、前記処理手段は、前記電子ペンによるひとまとまりの手書き文字全体を、前記領域指定手段によって指定された領域に収まるよう縮小又は拡大させて前記領域に表示させるよう構成するとよい。
【００２６】
また、上記プログラムにおいて、前記処理手段は、前記電子ペンによるひとまとまりの手書き文字のストローク全体を包含する外接枠を求め、前記領域指定手段によって指定された領域に収まるよう前記外接枠を縮小又は拡大させて、前記領域に前記ストローク全体を表示させるよう構成するとよい。
【００２７】
また、上記プログラムにおいてさらに、前記処理手段は、前記領域に前記ストローク全体を縮小させる縮小率が、所定値を超えた場合、記入分量が過多であることを報知するよう構成するとよい。
【００２９】
上記プログラムを端末装置にインストールすることにより、本発明の端末装置を構成させることができる。
【００３０】
また、本発明に係る添削支援システムは、位置座標を示すコード化パターンが升目とともに印刷された用紙と、解答用紙に書き込まれた解答の添削内容を前記用紙に記入するために用いられ、前記コード化パターンを読取り、位置座標を演算して記入情報を生成する電子ペンと、前記電子ペンにより生成された記入情報を受信し処理する添削者用端末装置と、解答が書き込まれた解答用紙をイメージデータとして読み取るスキャナと、前記スキャナにより読み取られたイメージデータを前記添削者用端末装置へ送信する中央処理装置とを備える添削支援システムであって、前記添削者用端末装置は、表示手段の表示画面において、受信した前記イメージデータを表示させた状態で、記入内容を表示する領域を指定する領域指定手段と、前記領域指定手段により指定された表示手段の領域に入力可能な縦横の文字数または総文字数を升目のサイズに基づき算出して報知し、前記電子ペンの記入情報に基づく記入内容を表示させる処理手段とを備えることを特徴とする。
【００３１】
本添削支援システムによれば、解答が書き込まれた解答用紙をスキャナによってイメージデータとして読み取り、そのイメージデータを中央処理装置によって添削者用端末装置へ送信する。添削者用端末装置は、受信したイメージデータを表示手段の表示画面に表示させておく。そして、添削者は、領域指定手段により、表示手段の表示画面において、記入内容を表示する領域を指定する。そのうえで、利用者が、電子ペンで解答の添削内容を用紙に記入すると、電子ペンは、用紙に印刷されたコード化パターンを読み取り、位置座標を演算して記入情報を生成し、添削者用端末装置へ送信する。すると、添削者用端末装置の処理手段は、その指定された領域に、電子ペンの記入情報に基づく記入内容を挿入して表示させる。ここで、添削者用端末装置の表示画面には、イメージデータが表示されているため、問題文や解答が表示された領域と重ならないように領域指定手段によって領域を指定することができる。その結果、処理手段は、問題文や解答が表示された領域と重ならない指定領域に電子ペンで記入した記入内容を表示することができる。また、利用者は、用紙の升目のサイズに基づき算出され報知される文字数の範囲内で、用紙に文字を記入することにより、電子ペンによって記入された文字が部分的に隠れることもなく、処理手段によって、指定領域に表示することができる。
【００３２】
また、上記システムにおいて、前記用紙は、解答用紙と同様の内容が印刷されているように構成するとよい。この構成により、利用者は、解答用紙に記入された解答の文字の大きさに対する添削文字の大きさの相対的な関係や、解答用紙における位置を確認しながら、解答に対する添削を電子ペンで記入することができる。
【００３３】
また、上記添削支援システムにおいて、前記処理手段は、前記領域指定手段によって指定された領域に合う文字数を、前記記入情報に基づく記入内容の文字数が超えたことを報知するよう構成するとよい。この構成により、処理手段は、電子ペンによって記入された文字すべてを表示しきれないことを報知するため、利用者は、領域指定手段による指定領域の適正化や文字数の適正化を図ることができる。
【００３４】
また、上記添削支援システムにおいて、前記処理手段は、前記電子ペンによるひとまとまりの手書き文字全体を、前記領域指定手段によって指定された領域に当てはまるよう縮小又は拡大させて前記領域に表示させるよう構成するとよい。この構成により、利用者が電子ペンで書く文字が大きすぎたり小さい場合であっても、その文字を縮小又は拡大することによって、指定された領域に収まるよう表示させることができる。
【００３５】
また、上記添削支援システムにおいて、前記処理手段は、前記電子ペンによるひとまとまりの手書き文字のストローク全体を包含する外接枠を求め、前記領域指定手段によって指定された領域に収まるよう前記外接枠を縮小又は拡大させて、前記領域に前記ストローク全体を表示させるよう構成するとよい。この構成により、外接枠内に包含されている手書き文字のストローク全体が、領域指定手段によって指定された領域に収まって表示手段に表示されるため、表示手段の確認により、ストロークを手書き文字の趣をそのままに全体的に確認することができる。
【００３６】
また、上記添削支援システムにおいて、前記処理手段は、前記領域に前記ストローク全体を縮小させる縮小率が、所定値を超えた場合、記入分量が過多であることを報知するよう構成するとよい。この構成により、ストローク全体を所定値を超えて縮小しすぎることを回避し、指定領域の適正化や添削コメントの分量、記入範囲の適正化を図ることができる。
【００３７】
さらに、上記添削支援システムにおいて、前記処理手段は、前記イメージデータ上の指定領域に表示された記入内容を前記イメージデータとともに、前記中央処理装置へ送信するよう構成するとよい。この構成により、添削のために記入されてイメージデータ上の指定領域に表示された記入内容が、解答用紙のイメージデータとともに、中央処理装置へ送信されるため、中央処理装置において、解答内容と添削内容とを管理することができる。
【発明の効果】
【００３８】
本発明によれば、表示画面において、予め、添削コメントなどの記入内容を表示したい領域を指定したうえで、電子ペンで記入した記入内容をその指定領域に当てはめて表示させることができる。
【発明を実施するための最良の形態】
【００３９】
本発明に係る好適な実施形態を、図面を参照しながら説明する。
【００４０】
＜第１実施形態＞
〔添削支援システムの構成概要及び利用概要〕
図１は、本第１実施形態に係る添削支援システム１である。図１に示すように、添削支援システム１は、通信添削業者が利用するスキャナ２及びセンターサーバ（中央処理装置）３と、添削者が利用する添削者用端末装置（端末装置）４、電子ペン６及び添削者用用紙（用紙）７とで構成される。センターサーバ３と端末装置４とはインターネット８を介して接続されている。
【００４１】
このような構成において、通信添削業者は、問題が印刷された解答用紙９を受講者へ郵送するとともに、解答用紙９と同様の内容と、電子ペン６で読取可能なコード化パターンとが印刷された添削者用用紙７を添削者へ郵送する。そして、受講者が解答用紙９に鉛筆やペンで解答を記入し、通信添削業者に返送する。通信添削業者は、届いた解答用紙９をイメージデータとして、スキャナ２に読み取らせ、イメージデータをセンターサーバ３に保存して集約管理する。また、通信添削業者は、センターサーバ３を操作して、スキャナ２によって読み取られたイメージデータを、インターネット８を介して端末装置４へ送信させる。なお、センターサーバ３は、ハードウェアとしては、ＣＰＵ等のプロセッサ、ディスプレイ、ハードディスク、ＲＯＭ、ＲＡＭといったメモリ、ネットワーク通信機器等を備えて構成されるが、パーソナル・コンピュータを利用してもよい。
【００４２】
端末装置４は、受信したイメージデータをディスプレイ（表示手段）の表示画面に表示させる。添削者は、端末装置４の表示画面を参照しながら、電子ペン６を用いて、添削者用用紙７に添削コメントを記入する。電子ペン６は、添削者用用紙７への記入の際に、用紙７に印刷されたドットパターン（コード化パターン）１１を読み取って、筆跡を反映する位置座標を演算し、当該位置座標を含む記入情報を生成して、端末装置４へ送信する。端末装置４は、解答が書き込まれた解答用紙９のイメージデータを表示した状態で、その画面上に、電子ペン６から受信した記入情報の記入内容を重ねて表示する。このように、添削者は、電子ペン６を利用して、端末装置４のイメージデータに添削コメントを重ねて書き込んでいく。以下、添削者用用紙７、電子ペン６、及び端末装置４について詳細に説明する。
【００４３】
〔添削者用用紙〕
図２を参照して、添削者用用紙（用紙）７について説明する。図２に示すように、用紙７には、その略全面に、位置座標を示すアノト方式のドットパターン（コード化パターン）１１が印刷され、その上に、クラス記入欄、名前記入欄、問題等１２が解答用紙９と同じ配置で印刷されている。さらに、用紙７には、添削コメント等を記入する際に文字の大きさや位置の目安とする升目１３が破線で格子状に印刷されている。ドットパターン１１は、赤外線を吸収するカーボンを含んだインキにより印刷され、問題等１２の文字は、赤外域に吸収性を持たないインキにより印刷されている。
【００４４】
〔ドットパターン〕
次に、図３と図４を参照しながら、用紙７に印刷されたアノト方式のドットパターン（コード化パターン）１１について説明する。図３は、用紙７に印刷されたドットパターン１１のドットと、そのドットが変換される値との関係を説明する図である。図３に示すように、ドットパターン１１の各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、用紙７上の位置座標が決定されるように構成されている。
【００４５】
図４は、あるドットパターンの配列を示している。図４（ａ）に示すように、縦横約２ｍｍの範囲内に６×６個のドットが、用紙７上のどの部分から６×６ドットを取っても、ユニークなパターンとなるように配置されている。これら３６個のドットにより形成されるドットパターンは、位置座標と、ドットパターンアドレス（コード化パターンアドレス）を保持している。図４（ｂ）は、図４（ａ）に示す各ドットを、格子の基準位置からのシフト方向によって、図３に示す規則性に基づいて、対応づけられた値に変換したものである。この変換は、ドットパターン１１の画像を撮影する電子ペン６によって行われる。
【００４６】
〔電子ペン〕
次に、図５を参照しながら、電子ペン６について説明する。図５に示すように、電子ペン６は、その筐体６０１の内部に、ＣＰＵ等により構成されるプロセッサ６０８と、ＲＯＭやＲＡＭなどのメモリ６０９と、アンテナや送信回路等により構成される通信ユニット６１１と、バッテリー６１２と、ＬＥＤ６０５と、ＣＭＯＳカメラ６０６と、リアルタイムクロック６１０と、圧力センサ６０７と、インクカートリッジ６０４とを備えている。インクカートリッジ６０４の先端は、ペン先部６０３となっており、添削者は、電子ペン６のペン先部６０３を、用紙７に当接させながら、解答に対する添削コメントを記入することができる。
【００４７】
バッテリー６１２は、電子ペン６内の各部品に電力を供給するためのものである。例えば、磁石入りのキャップの脱着を磁気センサにより検知して（図示せず）、電子ペン６自体の電源のオン／オフを行う。リアルタイムクロック６１０は、現在時刻（タイムスタンプ）を示す時刻情報を発信し、プロセッサ６０８に供給する。圧力センサ６０７は、添削者が電子ペン６により用紙７上に文字などを書く際に、ペン先部６０３からインクカートリッジ６０４を通じて与えられる圧力、即ち筆圧を検出し、その値をプロセッサ６０８へ送る。
【００４８】
プロセッサ６０８は、圧力センサ６０７から与えられる筆圧データに基づいて、ＬＥＤ６０５とＣＭＯＳカメラ６０６のスイッチのオン／オフを切り替える。即ち、添削者が電子ペン６で用紙７上に文字などを書くと、そのとき、ペン先部６０３に筆圧がかかり、圧力センサ６０７によって所定値以上の筆圧が検出されたときに、プロセッサ６０８は、添削者が記入を開始したと判定して、ＬＥＤ６０５とＣＭＯＳカメラ６０６を作動させる。
【００４９】
ＬＥＤ６０５とＣＭＯＳカメラ６０６は、電子ペン６のペン先部６０３付近に取り付けられている。筐体６０１におけるＬＥＤ６０５とＣＭＯＳカメラ６０６と対向する部分には、開口部６０２が形成されている。ＬＥＤ６０５は、用紙７上のペン先部６０３近傍に向けて赤外線を照射する。その領域は、ペン先部６０３が用紙７に接触する位置とはわずかにずれている。ＣＭＯＳカメラ６０６は、ＬＥＤ６０５によって照明された領域内におけるドットパターン１１を撮影し、そのドットパターン１１の画像データをプロセッサ６０８に供給する。ＣＭＯＳカメラ６０６による撮影領域は、図４に示すような約２ｍｍ×約２ｍｍの大きさを含む範囲である。ＣＭＯＳカメラ６０６の撮影は、毎秒５０〜１００回程度行われる。
【００５０】
カーボンは赤外線を吸収するため、ＬＥＤ６０５によって照射された赤外線は、ドットに含まれるカーボンによって吸収される。そのため、ドットの部分は赤外線の反射量が少なく、ドット以外の部分は赤外線の反射量が多い。ＣＭＯＳカメラ６０６の撮影結果を閾値で判別することによって、カーボンを含むドットの領域とそれ以外の領域を、赤外線の反射量の違いで区別することができる。用紙７の文字等を印刷したインキは赤外域に吸収性を持たないため、ドットパターン１１を確実に認識できる。
【００５１】
プロセッサ６０８は、添削者が記入している間、ＣＭＯＳカメラ６０６によって供給される画像データのドットパターン１１から、添削者が記入するストローク（筆跡）の用紙７上におけるＸＹ座標（位置座標）を連続的に演算していく。すなわち、プロセッサ６０８は、ＣＭＯＳカメラ６０６によって供給されるドットパターン１１の画像データを図４（ｂ）に示すようなデータ配列に変換し、さらに、Ｘ座標ビット値とＹ座標ビット値に変換したうえで、そのデータ配列から所定の演算方法によりＸＹ座標データとドットパターンアドレスを演算する。そして、プロセッサ６０８は、リアルタイムクロック６１０から発信される現在時刻（タイムスタンプ：記入された時刻情報）と、筆圧データと、ドットパターンアドレスと、ＸＹ座標データと、ペンＩＤ（電子ペン識別情報）を関連付ける。なお、用紙７における６×６のドットパターンは、その用紙７内で重複することはないため、添削者が電子ペン６で添削コメントを記入すると、記入された位置が用紙７のどの位置にあたるかを、プロセッサ６０８による座標演算により特定することができる。
【００５２】
メモリ６０９には、電子ペン６を識別するためのペンＩＤが記憶されているほか、プロセッサ６０８により生成された記入情報を記憶する。
【００５３】
通信ユニット６１１は、時刻情報（タイムスタンプ）と、筆圧データと、ドットパターンアドレスと、ＸＹ座標データと、ペンＩＤとが関連付けられた記入情報を、端末装置４へ送信する。通信ユニット６１１による送信は、Bluetooth(登録商標）の無線送信方式によって、端末装置４へ即時的かつ逐次的に行われる。
【００５４】
電子ペン６は、添削者が用紙７に記入する都度、記入情報を生成して、端末装置４へ送信する。例えば、添削者が電子ペン６のペン先部６０３を用紙７に接触（ペン・ダウン）させて記入すると、電子ペン６は、圧力センサ６０７で所定値以上の筆圧が検出されたことにより、用紙７への接触を検出する。そして、ＬＥＤ６０５によって赤外線を照射しつつ、ＣＭＯＳカメラ６０６によってペン先部６０３近傍のドットパターン１１を撮影する。撮影されたドットパターン１１の画像データから、用紙７への接触位置におけるＸＹ座標データとドットパターンアドレスを、プロセッサ６０８によって演算する。プロセッサ６０８は、リアルタイムクロック６１０によって発信された現在時刻を示す時間情報と、ドットパターンアドレスと、ＸＹ座標データと、筆圧データと、ペンＩＤとを関連付けた記入情報を生成し、その記入情報を通信ユニット６１１によって端末装置４へ送信させる。
【００５５】
このように、電子ペン６は、添削者が用紙７に記入し続けている間、記入情報を生成し、端末装置４へ送信し続ける。そして、添削者が電子ペン６を用紙７から離す（ペン・アップ）と、電子ペン６は、圧力センサ６０７で所定値以上の筆圧が検出されなくなったことにより、添削者が記入を停止したと判定する。そして、ＬＥＤ６０５とＣＭＯＳカメラ６０６を停止して、端末装置４への記入情報の送信を中止する。
【００５６】
〔端末装置〕
図６に示す端末装置４の機能ブロック図を参照して端末装置４について説明する。図６に示すように、端末装置４は、入力手段４１、領域指定手段４２、電子ペン用通信手段４３、ネットワーク用通信手段４４、記憶手段４６、表示手段４７、及び処理手段４８を備える。端末装置４は、ハードウェアとして、電子ペン６とのデータ通信やインターネット８を介したデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータである。また、端末装置４は、処理手段４８による専用アプリケーション（プログラム）の実行により、電子ペン６から受信した記入情報を処理して、表示手段４７に記入内容である添削コメントを再現する。
【００５７】
入力手段４１は、種々の文字情報等を入力する手段であり、キーボードや、キー押下を認識する手段により構成される。領域指定手段４２は、表示手段４７の表示画面上で、領域を指定するための手段であり、マウスやマウスの操作を検知する手段によって構成される。具体的には、領域指定手段４２は、マウスのドラッグ操作により表示画面上に長方形状の領域を指定するための手段である。
【００５８】
電子ペン用通信手段４３は、電子ペン６とデータ通信するためのアンテナや送受信器等の手段であり、電子ペン６の通信ユニット６１１から無線送信方式によって送信される記入情報を受信して、処理手段４８へ伝送する。ネットワーク用通信手段４４は、インターネット８に接続されてセンターサーバ３とデータ通信を行うためのモデム等の手段であり、センターサーバ３から送信された解答用紙９のイメージデータを受信して処理手段４８に伝送したり、処理手段４８の指示により、添削コメント等のデータが付加されたイメージデータをセンターサーバ３へ送信したりする。
【００５９】
記憶手段４６は、ＲＯＭやＲＡＭ、ハードディスクなどのメモリによって構成され、ＯＳや専用アプリケーションを記憶している。また、記憶手段４６は、センターサーバ３によって送信された解答用紙９のイメージデータを記憶し、さらに、添削コメント等のデータをイメージデータと配置情報も含めて関連付けて記憶する。表示手段４７は、処理手段４８の指示により、専用アプリケーションのウィンドウ上に、解答用紙９のイメージデータや、電子ペン６から送信された記入情報に基づく添削コメント等を表示する手段であり、ディスプレイ等により構成される。
【００６０】
処理手段４８は、専用アプリケーションの実行により、センターサーバ３から送信され、ネットワーク用通信手段４４によって受信した解答用紙９のイメージデータを表示手段４７に表示させる。また、処理手段４８は、添削に便利な記号や文字等の添削記号を、表示画面上に表示させるためツールボックス５２を機能させる。また、処理手段４８は、領域指定手段４２のマウスを用いたドラッグ操作により指定された領域５６を認識して、その領域５６を破線で枠囲いするとともに、その指定領域５６に合う、用紙７上における縦横の升目１３の数または文字数を演算して、表示手段４７に表示させる。そして、処理手段４８は、ダブルタップ（二回連続してペン先部６０３で軽叩すること）等の記入情報により示される文字入力終了を認識するまでの間、電子ペン６から送信された記入情報を逐次、文字認識してテキストデータに変換したうえで、当該指定領域５６に挿入して表示させる。
【００６１】
また、処理手段４８は、領域指定手段４２によって指定された領域５６に合う文字数を、記入情報から変換された文字の文字数が超えたことを表示手段４７に表示させる。そのほか、処理手段４８は、イメージデータ上の指定領域５６に挿入された記入内容やツールボックス５２からマウス操作により選択されてイメージデータ上に配置された添削記号を、当該イメージデータとともに記憶手段４６に記憶させたり、ネットワーク用通信手段４４によりセンターサーバ３へ送信したりする。
【００６２】
〔添削コメント記入機能〕
次に、図７のフローチャート、及び図８〜図１４の表示画面例を参照して、専用アプリケーションの実行による電子ペン６を用いた添削コメント記入機能について説明する。
【００６３】
まず、図８に示すように、処理手段４８は、受講者の解答内容が書き込まれた解答用紙９のイメージデータのイメージ５１を表示手段４７の表示画面に表示する（ステップＳ１０１）とともに、添削に便利な記号や文字が入力できるツールボックス５２を表示させる。添削者は、イメージ５１の表示から、どの領域が空白となっていて添削コメントを付加することができるかを認識することができる。また、図９に示すように、添削者は、ツールボックス５２を用いて、処理手段４８の処理により、部分点を示す数字や脚注用の数字５３、コメント挿入位置記号５４等の添削記号をマウス操作で適宜、選択し入力することができる。
【００６４】
続いて、図１０に示すように、添削者は、マウスのドラッグ操作により、イメージ５１の空白のうち、添削コメントを付加したい長方形状の領域５６を指定する。このとき、領域指定手段４２は、マウスのドラッグ操作により指定された領域５６を認識して処理手段４８に伝送し、処理手段４８は、ドラッグ操作に合わせてカーソル５７を移動させつつ、その指定領域５６を破線で囲むよう表示させる（ステップＳ１０２）。ここで、添削者は、解答用紙９のイメージ５１を表示させた状態で、マウスのドラッグ操作を行うので、問題文や解答が表示された領域と重ならないように、添削コメントを付加するための指定領域５６を指定することができる。
【００６５】
処理手段４８は、指定領域５６が決まると、図１１に示すように、指定領域５６の縦横の長さと、用紙７における升目１３の一升分の縦横長から、指定領域５６に入力できる用紙７上における縦横の升目１３の数（文字数）または総文字数を演算して、ポップアップ・ウィンドウ５８に表示する（ステップＳ１０３）。ここで、処理手段４８は、入力可能な升目数として、指定領域５６の縦長・横長を用紙７の升目１３の縦長・横長でそれぞれ割ったときの商の値を求め、入力可能な文字数を求める場合は、縦・横の商の積によって求める。したがって、添削者は、その升目１３又は文字数の範囲内で、用紙７にその升目１３を使って、一升に一文字ずつ添削コメントを記入しさえすれば、電子ペン６によって記入された文字が部分的に隠れることなく、添削コメントを指定領域５６に表示することができる。
【００６６】
そして、処理手段４８は、文字入力の終了を示す電子ペン６による用紙７へのダブルタップの記入情報を検知しない限り（ステップＳ１０４：Ｎｏ）、図１２に示すように、電子ペン６から受信した記入情報を逐次、文字認識してテキストデータに変換し、指定領域５６にそのテキストデータ５９を当てはめて挿入し表示させていく（ステップＳ１０５）。ここで、処理手段４８は、指定領域５６に挿入できる文字数を、電子ペン６から送信されてテキストデータに変換される文字数が超えたことを認識すると（ステップＳ１０６：Ｙｅｓ）、図１３に示すように、挿入する文字が多すぎる旨をポップアップ・ウィンドウ６１に表示し（ステップＳ１０７）、ステップＳ１０４へ戻る。これにより、添削者は、領域指定手段４２のマウスを用いたドラッグ操作による指定領域５６の適正化や添削コメントの文字数の適正化を図ることができる。その一方、処理手段４８は、指定領域５６に挿入できる文字数を、電子ペン６から送信されてテキストデータに変換される文字数が超えない間は（ステップＳ１０６：Ｎｏ）、ステップＳ１０４からＳ１０６を繰り返し、逐次、記入情報を文字変換し、テキストデータを指定領域５６へ挿入し、表示していく。なお、図１４に示すように、添削コメントであることを見やすくするため、処理手段４８の処理により、指定領域５６を実線で枠囲いして表示させてもよい。このとき、処理手段４８は、添削コメントの枠線のデザインを添削者が変更できるように、ツールボックス５２上に、花枠や点線などを選択可能とするコントロールボタン５２１を表示させる。
【００６７】
添削者が電子ペン６を用いて用紙７のひとまとまりの添削コメントを書き終えて、文字入力の終了を端末装置４に認識させるため、電子ペン６を用紙７にダブルタップすると、端末装置４は、電子ペン６からダブルタップの記入情報を受信して、ダブルタップされたことを認識する（ステップＳ１０４：Ｙｅｓ）。そして、処理手段４８は、引き続き添削コメントを付加するための次の領域指定がなされたことを検知した場合には（ステップＳ１０８：Ｙｅｓ）、ステップＳ１０２に戻り、ステップＳ１０２〜Ｓ１０８を繰り返し実行する。一方、所定時間、次の領域が指定されず、添削コメントの記入が終了した場合は（ステップＳ１０８：Ｎｏ）、処理手段４８は、イメージデータとともに添削コメントやツールボックス５２の利用により付加された添削記号等の情報を、イメージデータにおける配置情報とともに、記憶手段４６に記憶させる（ステップＳ１０９）。
【００６８】
〔添削データの返却〕
上記添削コメント記入機能によりイメージデータに添削コメントを付加して記憶手段４６に記憶させた後は、処理手段４８の処理によって、そのデータをネットワーク用通信手段４４によりセンターサーバ３へ送信させる。通信添削業者は、センターサーバ３で添削コメント付きのイメージデータを受信すると、そのイメージデータを印刷して、受講者に郵送等により返却する。
【００６９】
〔第１実施形態による作用効果〕
上述のように、本第１実施形態による添削支援システム１によれば、解答内容が書き込まれた解答用紙９のイメージデータのイメージ５１が表示手段４７の表示画面に表示されるため、添削者は、イメージ５１の表示から、どの領域が空白となっていて添削コメントを添付することができるかを認識し、マウスのドラッグ操作により、問題や解答が表示された領域と重ならないように、添削コメントを挿入する指定領域５６を指定することができる（参照図１０）。また、処理手段４８によって、指定領域５６に記入できる用紙７上における縦横の升目１３の文字数または総文字数が演算され、ポップアップ・ウィンドウ５８にその値が表示されるため（参照図１１）、添削者は、その文字数の範囲内で、用紙７にその升目１３を使って文字を記入すれば、電子ペン６によって記入された文字が部分的に隠れることなく、添削コメントを指定領域５６に表示することができる。また、処理手段４８は、指定領域５６に挿入できる文字数を、電子ペン６から送信されてテキストデータに変換される文字数が超えたことを認識すると、挿入する文字が多すぎる旨をポップアップ・ウィンドウ６１に表示するため（参照図１３）、添削者は、領域指定手段４２のマウスのドラッグ操作による指定領域５６の適正化や添削コメントの文字数の適正化を図ることができる。
【００７０】
また、本第１実施形態の添削支援システム１によれば、通信添削業者にとっては、受講者には何ら装置を供給しなくとも、通信添削業者のスキャナ２及びセンターサーバ３と、添削者の端末装置４、電子ペン６及び用紙７によってシステムを構成することができ、初期投資が軽くて済む。また、従来、受講者の解答用紙９を通信添削業者がそのまま添削者に郵送して添削後に返送してもらうのに要した時間を、解答用紙９の電子データ化、添削コメントの電子データ化、電子データ伝送により大幅に短縮することができる。
【００７１】
＜第２実施形態＞
次に、第２実施形態について説明する。第２実施形態と第１実施形態とが同様の部分については同じ符号を付し、適宜説明を省略する。第２実施形態と第１実施形態とが異なる点は、上記第１実施形態では、処理手段４８は、記入情報を文字認識してテキストデータに変換したうえで指定領域に表示させたが、第２実施形態では、添削者の文字の趣きをそのまま反映させるため、文字認識をせずに、筆跡を反映するストロークデータをイメージとして再現して表示させる点にある。
【００７２】
本第２実施形態において、処理手段４８は、領域指定手段４２のマウスを用いたドラッグ操作により指定された領域５６を認識して破線で枠囲いするとともに、指定領域５６に表示可能な添削コメントの分量（縦横のサイズ）を、その指定領域５６に合う用紙７上における縦横の升目１３の数に換算して、表示手段４７に表示させる。そして、処理手段４８は、ダブルタップ等の記入情報により示される文字入力終了を認識するまでの間、電子ペン６によって逐次送信される記入情報から、ストロークデータをイメージとして再現して、当該指定領域５６に挿入して表示させる。このとき、処理手段４８は、電子ペン６から受信した記入情報のストロークデータによる手書き文字の添削コメントが、指定領域５６にちょうど収まるよう縮小して、指定領域５６にそのイメージデータを当てはめて挿入し表示させる。
【００７３】
添削者は、升目１３を目安に文字を書くにしても、字癖などによって升目１３から記入した文字がはみ出したり、逆に小さかったりする場合がある。そこで、図１５（ａ）に示すように、処理手段４８は、手書き文字の縮小にあたって、記入情報に含まれるＸＹ座標データに基づいて、添削コメントの手書き文字のストローク全体を包含するような外接矩形（外接枠）を求める。具体的には、処理手段４８は、手書き文字のストロークＸＹ座標のうち、Ｘ座標が最小となる位置（Ｘｍｉｎ，Ｙｎ）を通る垂線を長方形の左側の線、Ｘ座標が最大となる位置（Ｘｍａｘ，Ｙｎ）を通る垂線を長方形の右側の線、Ｙ座標が最小となる位置（Ｘｍ，Ｙｍｉｎ）を通る水平線を長方形の下の線、Ｙ座標が最大となる位置（Ｘｎ，Ｙｍａｘ）を通る水平線を長方形の上の線、とする長方形を求める。そして、処理手段４８は、その外接矩形が指定領域５６より大きい場合は指定領域５６に収まるような縮小率でストロークデータを縮小させたうえで、手書き文字の添削コメントのイメージとして再現して指定領域５６に挿入して表示する。このとき、処理手段４８は、縮小率が予め決められて記憶手段４６に記憶された所定値を超えたことを認識すると、挿入する添削コメントの分量が多すぎる旨を表示手段４２に表示させる。これにより、添削者は、指定領域５６の適正化や添削コメントの分量や記入範囲の適正化を図ることができる。
【００７４】
なお、外接枠は図１５（ａ）に示すような矩形に限らず、処理手段４８は、図１５（ｂ）に示すように、手書き文字１文字ごとの外接矩形を求めた後、それらの外接矩形を包含するような多角形を求めるようにしてもよく、または、図１５（ｃ）に示すような、楕円などの曲線としてもよい。また、処理手段４８は、外接矩形が指定領域５６より小さい場合は指定領域５６に合うような拡大率でストロークデータを拡大させるようにしても良い。
【００７５】
〔添削コメント記入機能〕
次に、図１６のフローチャート、及び図１７の表示画面例を参照して、本第２実施形態の専用アプリケーションの実行による電子ペン６を用いた添削コメント機能について説明する。
【００７６】
まず、処理手段４８は、受講者の解答内容が書き込まれた解答用紙９のイメージデータのイメージ５１を表示手段４７の表示画面に表示する（ステップＳ２０１）とともに、ツールボックス５２を表示させる。添削者は、ツールボックス５２を用いて、処理手段４８の処理により、部分点を示す数字や脚注用の数字５３、コメント挿入位置記号５４等の添削記号をマウス操作で適宜、選択し入力することができる。続いて、添削者は、マウスのドラッグ操作により、イメージ５１の空白のうち、添削コメントを付加したい長方形状の領域５６を指定する。このとき、領域指定手段４２は、マウスのドラッグ操作により指定された領域５６を認識して処理手段４８に伝送し、処理手段４８は、ドラッグ操作に合わせてカーソル５７を移動させつつ、その指定領域５６を破線で囲むよう表示させる（ステップＳ２０２）。ここで、添削者は、解答用紙９のイメージ５１を表示させた状態で、マウスのドラッグ操作を行うので、問題文や解答が表示された領域と重ならないように、添削コメントを付加するための指定領域５６を指定することができる。
【００７７】
処理手段４８は、指定領域５６が決まると、指定領域５６の縦横の長さと、用紙７における升目１３の一升分の縦横長から、指定領域５６に表示できる用紙７上における縦横の升目１３の数（サイズ）を演算して、ポップアップ・ウィンドウ５８に表示する（ステップＳ２０３）。ここで、処理手段４８は、表示可能な升目数として、指定領域５６の縦長・横長を用紙７の升目１３の縦長・横長でそれぞれ割ったときの商の値を求める。したがって、添削者は、その升目１３の範囲内で、用紙７にその升目１３を使って、一升に一文字ずつ添削コメントを記入すれば、電子ペン６によって記入された文字が縮小されることなく、添削コメントを指定領域５６に表示することができる。そして、処理手段４８は、文字入力の終了を示す電子ペン６による用紙７へのダブルタップの記入情報を検知しない限り（ステップＳ２０４：Ｎｏ）、電子ペン６から受信した記入情報から逐次、手書き文字のストローク全体を包含する長方形状の外接矩形を求める（ステップＳ２０５）。
【００７８】
続いて、処理手段４８は、その外接矩形が指定領域５６より大きい場合は指定領域５６に収まるような縮小率でストロークデータを縮小させる（ステップＳ２０６）。そして、手書き文字の添削コメントをイメージとして再現して、図１６に示すように、そのイメージデータを指定領域５６に挿入し表示させていく（ステップＳ２０７）。ここで、処理手段４８は、ストロークデータの縮小率が所定値を超えたことを認識すると（ステップＳ２０８：Ｙｅｓ）、挿入する添削コメントの分量が多すぎる旨をポップアップ・ウィンドウ６１（参照図１３）に表示し（ステップＳ２０９）、ステップＳ２０４へ戻る。これにより、添削者は、領域指定手段４２のマウスを用いたドラッグ操作による指定領域５６の適正化や添削コメントの分量の適正化を図ることができる。その一方、処理手段４８は、ストロークデータの縮小率が所定値を超えない間は（ステップＳ２０８：Ｎｏ）、ステップＳ２０４からＳ２０８を繰り返し、逐次、ストロークデータを縮小し、添削コメントの手書き文字のイメージとして再現して指定領域５６へ当てはめて挿入し、表示していく。なお、第１実施形態と同様に、添削コメントであることを見やすくするため、処理手段４８の処理により、指定領域５６を実線で見やすく枠囲いして表示させてもよい。
【００７９】
添削者が電子ペン６を用いて用紙７のひとまとまりの添削コメントを書き終えて、文字入力の終了を端末装置４に認識させるため、電子ペン６を用紙７にダブルタップすると、端末装置４は、電子ペン６からダブルタップの記入情報を受信して、ダブルタップされたことを認識する（ステップＳ２０４：Ｙｅｓ）。そして、処理手段４８は、引き続き添削コメントを付加するための次の領域指定がなされたことを検知した場合には（ステップＳ２１０：Ｙｅｓ）、ステップＳ２０２に戻り、ステップＳ２０２〜Ｓ２１０を繰り返し実行する。一方、所定時間、次の領域が指定されず、添削コメントの記入が終了した場合は（ステップＳ２１０：Ｎｏ）、処理手段４８は、解答用紙９のイメージデータとともに添削コメントのイメージデータやツールボックス５２の利用により付加された添削記号等の情報を、解答用紙９のイメージデータにおける配置情報とともに、記憶手段４６に記憶させる（ステップＳ２１１）。
【００８０】
〔第２実施形態による作用効果〕
本第２実施形態による添削支援システム１によれば、上述の第１実施形態の添削支援システム１による作用効果と同様に、添削者は、イメージ５１の表示から、どの領域が空白となっていて添削コメントを添付することができるかを認識し、問題や解答が表示された領域と重ならないように、添削コメントを挿入する指定領域５６を指定することができる（参照図１０）。
【００８１】
また、本第２実施形態による添削支援システム１によれば、処理手段４８によって、指定領域５６に表示可能な添削コメントの分量（縦横のサイズ）が、その指定領域５６に合う用紙７上における縦横の升目１３の数に換算されて、ポップアップ・ウィンドウ５８にその値が表示されるため（参照図１１）、添削者は、その升目１３の数の範囲内で用紙７に文字を記入すれば、電子ペン６によって記入された添削コメントの手書き文字が縮小されることなく、手書き文字のイメージを再現して指定領域５６に表示することができる。また、添削者がその升目１３の縦横どちらかの数を超える範囲にまで用紙７に記入すると、処理手段４８は、手書き文字のストロークデータを縮小したうえで、そのイメージを再現して指定領域５６に挿入して表示することができる。さらに、処理手段４８は、ストロークデータの縮小率が所定値を超えたことを認識すると、挿入する添削コメントの分量が多すぎる旨をポップアップ・ウィンドウ６１に表示するため、添削者は、領域指定手段４２のマウスのドラッグ操作による指定領域５６の適正化や添削コメントの分量や記入範囲の適正化を図ることができ、過度の縮小によって添削コメントが読みづらくなることを避けられる。
【００８２】
また、本第２実施形態の添削支援システム１によれば、上述の第１実施形態の添削支援システム１による作用効果と同様に、通信添削業者にとっては、受講者には何ら装置を供給しなくとも、通信添削業者のスキャナ２及びセンターサーバ３と、添削者の端末装置４、電子ペン６及び用紙７によってシステムを構成することができ、初期投資が軽くて済む。また、従来、受講者の解答用紙９を通信添削業者がそのまま添削者に郵送して添削後に返送してもらうのに要した時間を、解答用紙９の電子データ化、添削コメントの電子データ化、電子データ伝送により大幅に短縮することができる。
【００８３】
＜他の実施形態＞
なお、本発明は、上記第１及び第２実施形態に限られない。
【００８４】
例えば、上記実施形態では、処理手段４８は、電子ペン６のダブルタップの記入情報によって、ひとまとまりの添削コメントの終了を認識した。この代わりに、用紙７に、ひとまとまりの添削コメントの終了を端末装置４に認識させるためのタップ・エリアを設け、処理手段４８は、そのタップ・エリアにタップされたことで送信される記入情報に基づき、添削コメントの入力の終了を認識するよう構成してもよい。又は、用紙７に、電子ペン６の記入情報を送信するためのエリアを設けておき、そのエリアが電子ペン６によってタップないしマークされるまでの間、電子ペン６のメモリ６０９に記入情報を記憶させておき、当該エリアがタップないしマークされたときに、メモリ６０９に記憶された記入情報を電子ペン６から端末装置４へ送信させるようにして、端末装置４で受信された記入情報をひとまとまりの添削コメントとして認識させるようにしてもよい。或いは、電子ペン６による、ひとまとまりの添削コメントの記入が終了した時点で、添削者の端末装置４の操作、例えば、画面上に設定された添削コメント入力終了ボタンのクリック等の操作により、端末装置４が添削コメントの入力の終了を認識するよう構成してもよい。
【００８５】
また、上記実施形態では、ひとまとまりの添削コメント入力の終了を認識しない間（ステップＳ１０４：Ｎｏ、Ｓ２０４：Ｎｏ）は、処理手段４８は、電子ペン６から受信した記入情報から逐次、記入情報の文字認識から指定領域に表示した文字数オーバーの警告表示まで（ステップＳ１０５〜Ｓ１０７）、あるいはストローク全体の外接矩形の演算から指定領域に表示したストロークの縮小率オーバーの警告表示まで（ステップＳ２０５〜Ｓ２０９）の一連の処理を行った。このようにストローク１本ごとに演算するため、文字数オーバー等となった瞬間に警告表示を行うことができる。この代わりに、集約処理手段４８は、添削コメントの終了を認識した（ステップＳ１０４：Ｙｅｓ、Ｓ２０４：Ｙｅｓ）後で、ステップＳ１０５〜Ｓ１０７あるいはステップＳ２０５〜Ｓ２０９の一連の処理を行うようにしてもよい。このように、ひとまとまりの添削コメントのストロークをまとめて演算することで、処理手段４８の処理負荷を軽くすることができる。
【００８６】
また、上記実施形態では、問題文等１２と升目１３と電子ペン１によって認識可能なドットパターン１１が印刷された添削者用用紙７を用いたが、処理手段４８は電子ペン１によって記入した手書き文字を指定領域５６へ当てはめて挿入する機能を有している為、問題文等１２或いは升目１３が印刷されていない添削者用用紙７を用いることもできる。このとき、升目１３が印刷されていない添削者用用紙７を利用する場合には、処理手段４８は、指定領域５６に記入可能な縦横の文字数或いは総文字数は、見やすい文字の大きさを基に演算する。そして、処理手段４８の処理によって、指定領域５６に挿入された添削コメントをマウスでドラッグ操作することなどにより、その位置やサイズを微調整可能に構成してもよい。
【００８７】
また、上記実施形態では、処理手段４８は、指定領域５６への記入可能升目数（ステップＳ１０３、Ｓ２０３）や文字数のオーバー（ステップＳ１０７）や縮小率のオーバー（ステップＳ２０８）を表示手段４７に表示させたが、これに加え、又はこれに代えて、音声によって報知するようにしてもよい。
【００８８】
また、上記実施形態では、添削コメント付きのイメージデータを印刷して、受講者に郵送等により返却したが、解答用紙９そのものに、添削記号や添削コメントだけを重ねて印刷して受講者に返却してもよく、或いは、イメージデータそのものを受講者の所有する端末装置へインターネット８を介して送信してもよい。
【００８９】
また、上記実施形態では、センターサーバ３と端末装置４との間のデータ通信は、インターネット８を介して行われたが、添削者が添削を行う場所が、センターサーバ３の付近であれば、そのデータ通信は、直接行われたり、ＬＡＮ等の小規模なネットワークを介して行われるよう構成してもよい。なお、上記実施形態では、記入情報は、時間情報と、ドットパターンアドレスと、ＸＹ座標データと、筆圧データと、ペンＩＤとが関連付られた情報であるが、記入情報を時間情報とＸＹ座標データとにするなど、適宜、処理に必要な情報にとどめて処理負担を軽減するようにしてもよい。
【図面の簡単な説明】
【００９０】
【図１】添削支援システムの構成図である。
【図２】添削者用用紙の説明図である。
【図３】添削者用用紙に印刷されるドットパターンによる情報の表現方法の説明図である。
【図４】（ａ）はドットパターンを模式的に示し、（ｂ）はそれに対応する情報の例を示す説明図である。
【図５】電子ペンの構成を示すブロック図である。
【図６】端末装置の機能ブロック図である。
【図７】第１実施形態の端末装置における添削コメント記入機能のフローチャートである。
【図８】端末装置の表示手段に解答用紙のイメージを表示させた表示画面例である。
【図９】端末装置の表示手段において解答用紙のイメージに添削記号を付加した状態を示す表示画面例である。
【図１０】端末装置の表示手段において解答用紙のイメージに添削コメントを付加するための指定領域を設定する様子を示す表示画面例である。
【図１１】端末装置の表示手段において指定領域に記入できる添削者用用紙上における縦横の升目の数または文字数を表示している状態を示す表示画面例である。
【図１２】第１実施形態の端末装置の表示手段において指定領域に添削コメントが挿入された状態を示す表示画面例である。
【図１３】第１実施形態の端末装置の表示手段において指定領域への添削コメントの文字数が多すぎることを表示した状態を示す表示画面例である。
【図１４】第１実施形態の端末装置の表示手段において指定領域が枠囲いされた状態を示す表示画面例である。
【図１５】（ａ）は、第２実施形態の端末装置が演算する外接矩形（外接枠）を説明する図、（ｂ）および（ｃ）は、外接枠の他の形態を示す図である。
【図１６】第２実施形態の端末装置における添削コメント記入機能のフローチャートである。
【図１７】第２実施形態の端末装置の表示手段において指定領域に添削コメントが挿入された状態を示す表示画面例である。
【符号の説明】
【００９１】
１…添削支援システム、２…スキャナ、３…センターサーバ（中央処理装置）、４…端末装置、６…電子ペン、７…添削者用用紙（用紙）、８…インターネット（ネットワーク）、１１…ドットパターン（コード化パターン）、１３…升目、４２…領域指定手段、４７…表示手段、４８…処理手段、５１…イメージ、５６…指定領域、５８，６１…ポップアップ・ウィンドウ、５９…添削コメントのテキストデータ。
【図１】
0005077829.tif 000002
【図２】
0005077829.tif 000003
【図３】
0005077829.tif 000004
【図４】
0005077829.tif 000005
【図５】
0005077829.tif 000006
【図６】
0005077829.tif 000007
【図７】
0005077829.tif 000008
【図８】
0005077829.tif 000009
【図９】
0005077829.tif 000010
【図１０】
0005077829.tif 000011
【図１１】
0005077829.tif 000012
【図１２】
0005077829.tif 000013
【図１３】
0005077829.tif 000014
【図１４】
0005077829.tif 000015
【図１５】
0005077829.tif 000016
【図１６】
0005077829.tif 000017
【図１７】
0005077829.tif 000018